(57)【特許請求の範囲】
【請求項１】
基端側を中心に揺動操作可能な操作レバー本体に固定され、車両又は車両が具備する装備に対して所定の動作を行わせる複数のスイッチ手段が取り付けられた収容凹部を有するケース部材と、
該ケース部材の収容凹部を覆うとともに、前記スイッチ手段を外側に臨ませて操作可能とする開口が形成されたカバー部材と、
該カバー部材に取り付けられ、前記スイッチ手段を操作し得る操作ノブと、
を具備した車両用スイッチ装置において、
前記カバー部材は、前記操作ノブを動作させるためのアクション部が形成され、前記ケース部材に取り付けられることにより前記スイッチ手段を収容可能な収容空間を形成するとともに、前記操作ノブは、当該カバー部材の前記開口及び当該開口内のアクション部を覆うカバー部位を有し、当該開口内で前記操作ノブが揺動可能とされ、且つ、前記カバー部位は、前記操作ノブの被操作部を延長して成るとともに、前記ケース部材の収容凹部は、所定の樹脂材が前記スイッチ手段の少なくとも一部を包含しつつ充填されて成ることを特徴とする車両用スイッチ装置。
【請求項２】
前記ケース部材の収容凹部は、その下部に前記カバー部材で覆われず外部に臨ませた排水用開口部を有することを特徴とする請求項１記載の車両用スイッチ装置。
【発明の詳細な説明】
【技術分野】
【０００１】
本発明は、車両又は車両が具備する装備に対して所定の動作を行わせるための車両用スイッチ装置に関するものである。
【背景技術】
【０００２】
例えばホイールローダやショベルカーなどの建設機械（建機）においては、通常、車両や車両が具備する装備等を操作するための操作レバー装置が配設されるとともに、その操作レバー本体の突端側には建機が具備する例えばショベルなどの装備を操作するためのスイッチ手段が配設されている。かかるスイッチ手段は、操作レバー本体の突端部に取り付けられた車両用スイッチ装置に複数配設されており、例えば操作者の親指等により操作ノブをすることにより、車両の装備を所定動作させ得るようになっている。尚、かかる先行技術は、文献公知発明に係るものでないため、記載すべき先行技術文献情報はない。
【発明の概要】
【発明が解決しようとする課題】
【０００３】
上記従来の車両用スイッチ装置においては、以下の問題があった。
建機等の車両においては、泥や雨水がスイッチ手段に至ることによる電気系統の不具合を防止するために、防水手段が必要とされている。しかしながら、従来においては、複数のスイッチ手段のそれぞれに専ら防水のための手段を取り付けていたため、車両用スイッチ装置全体が大型化してしまい、例えば操作レバー本体を把持しつつ親指等による操作ノブの操作が困難になってしまう虞があった。
【０００４】
本発明は、このような事情に鑑みてなされたもので、各スイッチ手段の防水を確実に行わせることができるとともに、装置全体の小型化を図ることができる車両用スイッチ装置を提供することにある。
【課題を解決するための手段】
【０００５】
請求項１記載の発明は、基端側を中心に揺動操作可能な操作レバー本体に固定され、車両又は車両が具備する装備に対して所定の動作を行わせる複数のスイッチ手段が取り付けられた収容凹部を有するケース部材と、該ケース部材の収容凹部を覆うとともに、前記スイッチ手段を外側に臨ませて操作可能とする開口が形成されたカバー部材と、該カバー部材に取り付けられ、前記スイッチ手段を操作し得る操作ノブとを具備した車両用スイッチ装置において、前記カバー部材は、前記操作ノブを動作させるためのアクション部が形成され、前記ケース部材に取り付けられることにより前記スイッチ手段を収容可能な収容空間を形成するとともに、前記操作ノブは、当該カバー部材の前記開口及び当該開口内のアクション部を覆うカバー部位を有し、当該開口内で前記操作ノブが揺動可能とされ、且つ、前記カバー部位は、前記操作ノブの被操作部を延長して成るとともに、前記ケース部材の収容凹部は、所定の樹脂材が前記スイッチ手段の少なくとも一部を包含しつつ充填されて成ることを特徴とする。
【０００８】
請求項２記載の発明は、請求項１記載の車両用スイッチ装置において、前記ケース部材の収容凹部は、その下部に前記カバー部材で覆われず外部に臨ませた排水用開口部を有することを特徴とする。
【発明の効果】
【００１０】
請求項１の発明によれば、カバー部材は、操作ノブを動作させるためのアクション部が形成されるとともに、操作ノブは、当該カバー部材の開口を覆うカバー部位を有するので、各スイッチ手段の防水を確実に行わせることができるとともに、装置全体の小型化を図ることができる。
【００１１】
また、カバー部位は、操作ノブの被操作部を延長して成るので、操作ノブの操作性に影響を及ぼすことなく、各スイッチ手段の防水を確実に行わせることができる。
【００１２】
さらに、ケース部材の収容凹部は、所定の樹脂材がスイッチ手段の少なくとも一部を包含しつつ充填されて成るので、充填された樹脂材によって複数のスイッチ手段を一括して防水することができ、装置全体の小型化を一層図ることができる。
またさらに、ケース部材は、基端側を中心に揺動操作可能な操作レバー本体に固定されたので、操作レバー本体の操作を行わせつつ車両用スイッチ装置の各操作ノブを操作させることができる。
【００１３】
請求項２の発明によれば、ケース部材の収容凹部は、その下部にカバー部材で覆われず外部に臨ませた排水用開口部を有するので、ケース部材の収容凹部に浸入した雨水等を円滑且つ確実に外部に排出させることができる。
【図面の簡単な説明】
【００１５】
【図１】本発明の実施形態に係る車両用スイッチ装置及び操作レバー本体を示す全体外観図
【図２】同車両用スイッチ装置を操作レバー本体から取り外した状態を示す斜視図
【図３】同車両用スイッチ装置を示す正面図
【図４】図３におけるＩＶ−ＩＶ線断面図
【図５】図３におけるＶ−Ｖ線断面図
【図６】図３におけるＶＩ−ＶＩ線断面図
【図７】図３におけるＶＩＩ−ＶＩＩ線断面図
【図８】図３におけるＶＩＩＩ−ＶＩＩＩ線断面図
【図９】図３におけるＩＸ−ＩＸ線断面図
【図１０】同車両用スイッチ装置を示す分解斜視図
【図１１】同車両用スイッチ装置におけるケース部材に基板及びスイッチ手段を収容させた状態を示す斜視図
【図１２】同車両用スイッチ装置におけるケース部材に所定の樹脂材を充填させた状態を示す断面図
【図１３】同車両用スイッチ装置の全体外観を示す斜視図
【発明を実施するための形態】
【００１６】
以下、本発明の実施形態について図面を参照しながら具体的に説明する。
本実施形態に係る車両用スイッチ装置は、ホイールローダやショベルカーなどの建機（車両）に配設されたもので、図１、２に示すように、操作レバー本体Ｌの突端部に取り付けられている。かかる操作レバー本体Ｌは、建機（車両）に配設されるとともに基端側（図１中下部側）を中心に揺動操作可能なものであり、揺動操作によって例えば搭載されたショベルやクレーン等の装備を上下左右に移動させ得るよう構成されている。
【００１７】
また、操作レバー本体Ｌの突端部には、図２に示すように、開口部から成る取付部Ｌａが形成されており、当該取付部Ｌａに本車両用スイッチ装置１が取り付けられている。本実施形態に係る車両用スイッチ装置１は、図３〜９に示すように、ケース部材２と、カバー部材３と、操作ノブ（４〜７）と、所定の電気回路が形成された基板８と、該基板８の所定位置に取り付けられた複数のスイッチ手段（マイクロスイッチ９及び磁力センサＡ）とを有して構成されている。
【００１８】
ケース部材２は、車両用スイッチ装置１の筐体を構成するもので、車両又は車両が具備する装備に対して所定の動作を行わせる複数のスイッチ手段（マイクロスイッチ９及び磁力センサＡ）が取り付けられた収容凹部２ａを有する。本実施形態に係るスイッチ手段は、マイクロスイッチ９及び磁力センサＡにて構成されるもので、操作ノブ（４〜７）の操作に伴って車両側に電気信号を送信し得るよう構成されている。
【００１９】
磁力センサＡは、図４に示すように、基板８における操作ノブ４に対応する位置に取り付けられ、当該操作ノブ４が操作されて磁石Ｍが移動するのに伴って磁界が変化すると、その磁界の変化を検出して車両側に所定の電気信号を送信し、車両又は車両が具備する装備に対して所定の動作を行わせ得るよう構成されている。また、マイクロスイッチ９は、図５〜９に示すように、基板８における操作ノブ（５〜７）に対応する位置に取り付けられ、当該操作ノブ（５〜７）が操作されて操作部９ａが押圧されると、所定の電気信号を車両側に送信して車両又は車両が具備する装備に対して所定の動作を行わせ得るよう構成されている。
【００２０】
カバー部材３は、図１０、１３に示すように、ケース部材２に合致し得る蓋状部材から成るもので、ケース部材２の収容凹部２ａを覆うとともに、スイッチ手段を構成するマイクロスイッチ９及び磁力センサＡのそれぞれを外側に臨ませて操作可能とする開口３ａ（図１０参照）が形成されている。また、カバー部材３がケース部材２に取り付けられることによって、内部に収容空間が形成され、基板８等を収容可能とされている。
【００２１】
操作ノブ（４〜７）は、カバー部材３に取り付けられ、操作者が操作することによって、スイッチ手段（マイクロスイッチ９又は磁力センサＡ）のオン、オフを操作し得るものである。具体的には、操作ノブ４は、カバー部材３の上部に取り付けられたシーソー型のノブから成り、図４に示すように、軸Ｌ１を中心として左右方向に揺動可能とされるとともに、その揺動に伴って磁石Ｍが移動することにより磁力センサＡが所定の電気信号を送信し得るようになっている。また、操作ノブ４は、操作者によって左右何れかの方向に揺動操作された際、アクション部（バネＳ１及び押圧部Ｔ）によって中立位置に戻るよう構成されている。
【００２２】
かかる操作ノブ４のアクション部は、同図に示すように、カバー部材３に取り付けられたバネＳ１及び押圧部Ｔ等にて構成されている。すなわち、操作ノブ４が揺動すると、その方向の押圧部Ｔの先端部Ｔａに当接してバネＳ１を圧縮させるので、操作後、バネＳ１の付勢力によって自然と中立位置に戻すことができるのである。このように、本実施形態に係る操作ノブ４のアクション部は、カバー部材３に形成され、当該操作ノブ４を動作可能とされているのである。
【００２３】
さらに、本実施形態に係る操作ノブ４は、カバー部材３に組み付けられた状態において、当該カバー部材３の開口３ａを覆うカバー部位４ａを有している。このカバー部位４ａは、操作ノブ４の被操作部（操作者が操作時に触れる部分）を延長して成るもので、カバー部材３の開口３ａを覆うことにより、当該開口３ａから雨水等が浸入してしまうのを抑制することができるよう構成されている。
【００２４】
操作ノブ５は、図５、９に示すように、ボタン型の押圧式ノブから成り、操作者によって押圧操作されると、マイクロスイッチ９の操作部９ａを押圧し、所定の電気信号を送信し得るよう構成されている。また、操作ノブ５は、押圧操作された際、バネＳ２の付勢力によって初期位置に戻るよう構成されるとともに、一端にスチールボールｂ１が取り付けられたバネＳ３によって節度が得られるようになっている。これらバネＳ２、Ｓ３及びスチールボールｂ１は、操作ノブ５を動作させるためのアクション部を構成しており、カバー部材３に形成されている。
【００２５】
さらに、本実施形態に係る操作ノブ５は、カバー部材３に組み付けられた状態において、当該カバー部材３の開口３ａを覆うカバー部位５ａを有している。このカバー部位５ａは、操作ノブ５の被操作部（操作者が操作時に触れる部分）を延長して成るもので、カバー部材３の開口３ａを覆うことにより、当該開口３ａから雨水等が浸入してしまうのを抑制することができるよう構成されている。
【００２６】
操作ノブ６は、図６に示すように、左右方向に揺動可能とされるとともに、その揺動方向のマイクロスイッチ９の操作部９ａを押圧し、所定の電気信号を送信し得るよう構成されている。また、操作ノブ６は、揺動操作された際、その方向に配設されたバネＳ４の付勢力によって初期位置に戻るよう構成されている。このバネＳ４は、操作ノブ６を動作させるためのアクション部を構成しており、カバー部材３に形成されている。
【００２７】
さらに、本実施形態に係る操作ノブ６は、カバー部材３に組み付けられた状態において、当該カバー部材３の開口３ａを覆うカバー部位６ａを有している。このカバー部位６ａは、操作ノブ６の被操作部（操作者が操作時に触れる部分）を延長して成るもので、カバー部材３の開口３ａを覆うことにより、当該開口３ａから雨水等が浸入してしまうのを抑制することができるよう構成されている。
【００２８】
操作ノブ７は、図８に示すように、上下方向に揺動可能とされるとともに、その揺動方向のマイクロスイッチ９の操作部９ａを押圧し、所定の電気信号を送信し得るよう構成されている。また、操作ノブ７は、揺動操作された際、一端にスチールボールｂ２が取り付けられたバネＳ５によって節度が得られるようになっている。なお、同図中符号１０は、カバー部材３から延設された部位から成り、操作ノブ７の操作時にスチールボールｂ２が転動可能な凹状の転動面を有している。これらバネＳ５及びスチールボールｂ２は、操作ノブ７を動作させるためのアクション部を構成しており、カバー部材３に形成されている。
【００２９】
さらに、本実施形態に係る操作ノブ７は、カバー部材３に組み付けられた状態において、当該カバー部材３の開口３ａを覆うカバー部位７ａを有している。このカバー部位７ａは、操作ノブ７の被操作部（操作者が操作時に触れる部分）を延長して成るもので、カバー部材３の開口３ａを覆うことにより、当該開口３ａから雨水等が浸入してしまうのを抑制することができるよう構成されている。
【００３０】
一方、本実施形態に係るケース部材２の収容凹部２ａは、図１２に示すように、所定の樹脂材Ｂがスイッチ手段（マイクロスイッチ９及び磁気センサＡ）の少なくとも一部を包含しつつ充填されて成るものとされている。すなわち、製造過程において、図１１に示すように、ケース部材２の収容凹部２ａにスイッチ手段（マイクロスイッチ９及び磁気センサＡ）が取り付けられた基板８を収容して組み付けた後、その収容凹部２ａ内に液状の所定の樹脂材Ｂ（エポキシやウレタンなどの硬化性樹脂）を流し込み、図１２に示すように、スイッチ手段（マイクロスイッチ９及び磁気センサＡ）の少なくとも一部を包含した液位（本実施形態においては、マイクロスイッチ９の高さ方向に対して半分程度、及び磁気センサＡの全てを包含した液位）に達した時点で流し込みを終了させた後、固化させているのである。
【００３１】
しかして、図１３に示すように、ケース部材２の収容凹部２ａを覆うようにカバー部材３を取り付けることにより、車両用スイッチ装置１の組み付けが完了する。ここで、本実施形態に係るケース部材２の収容凹部２ａは、同図及び図７に示すように、その下部にカバー部材３で覆われず外部に臨ませた排水用開口部Ｋを有するものとされている。これにより、ケース部材２の内部に雨水等が侵入した場合であっても、排水用開口部Ｋから円滑に排出させることができる。
【００３２】
上記実施形態によれば、カバー部材３は、操作ノブ（４〜７）を動作させるためのアクション部が形成されるとともに、操作ノブ（４〜７）は、当該カバー部材３の開口３ａを覆うカバー部位（４ａ〜７ａ）を有するので、各スイッチ手段（マイクロスイッチ９及び磁気センサＡ）の防水を確実に行わせることができるとともに、装置全体の小型化を図ることができる。また、本実施形態に係るカバー部位（４ａ〜７ａ）は、操作ノブ（４〜７）の被操作部を延長して成るので、操作ノブ（４〜７）の操作性に影響を及ぼすことなく、各スイッチ手段（マイクロスイッチ９及び磁気センサＡ）の防水を確実に行わせることができる。
【００３３】
さらに、本実施形態に係るケース部材２の収容凹部２ａは、所定の樹脂材がスイッチ手段（マイクロスイッチ９及び磁気センサＡ）の少なくとも一部を包含しつつ充填されて成るので、充填された樹脂材によって複数のスイッチ手段（マイクロスイッチ９及び磁気センサＡ）を一括して防水することができ、装置全体の小型化を一層図ることができる。またさらに、本実施形態に係るケース部材２の収容凹部２ａは、その下部にカバー部材３で覆われず外部に臨ませた排水用開口部Ｋを有するので、ケース部材２の収容凹部２ａに浸入した雨水等を円滑且つ確実に外部に排出させることができる。なお、本実施形態に係るケース部材２は、基端側を中心に揺動操作可能な操作レバー本体Ｌに固定されたので、操作レバー本体Ｌの操作を行わせつつ車両用スイッチ装置１の各操作ノブ（４〜７）を操作させることができる。
【００３４】
以上、本実施形態について説明したが、本発明はこれに限定されるものではなく、例えば操作レバー本体Ｌに取り付けられるものではなく、車両の他の部位に取り付けられるものであってもよい。適用される車両は、建機に限らず、他の車両であってもよい。また、カバー部材３に取り付けられる操作ノブ（４〜７）及びスイッチ手段は、本実施形態の如きものに限定されず、スイッチ手段（マイクロスイッチ９及び磁気センサＡ）を操作し得る他の形態の操作ノブ、及び操作ノブ（４〜７）にて操作可能な他の形態のスイッチ手段としてもよい。
【産業上の利用可能性】
【００３５】
カバー部材は、操作ノブを動作させるためのアクション部が形成され、ケース部材に取り付けられることによりスイッチ手段を収容可能な収容空間を形成するとともに、操作ノブは、当該カバー部材の開口及び当該開口内のアクション部を覆うカバー部位を有し、当該開口内で操作ノブが揺動可能とされ、且つ、カバー部位は、操作ノブの被操作部を延長して成るとともに、ケース部材の収容凹部は、所定の樹脂材がスイッチ手段の少なくとも一部を包含しつつ充填されて成る車両用スイッチ装置であれば、外観形状が異なるもの或いは他の機能が付加されたもの等にも適用することができる。
【符号の説明】
【００３６】
１  車両用スイッチ装置
２  ケース部材
２ａ  収容凹部
３  カバー部材
３ａ  開口
４〜７  操作ノブ
４ａ〜７ａ  カバー部位
８  基板
９  マイクロスイッチ（スイッチ手段）
Ａ  磁気センサ（スイッチ手段）
【図１】
0006663614.tif 000002
【図２】
0006663614.tif 000003
【図３】
0006663614.tif 000004
【図４】
0006663614.tif 000005
【図５】
0006663614.tif 000006
【図６】
0006663614.tif 000007
【図７】
0006663614.tif 000008
【図８】
0006663614.tif 000009
【図９】
0006663614.tif 000010
【図１０】
0006663614.tif 000011
【図１１】
0006663614.tif 000012
【図１２】
0006663614.tif 000013
【図１３】
0006663614.tif 000014